(57)【要約】【課題】簡単な構成で、特別入賞装置内に入球した遊技球を段階的に上昇移動させる。【解決手段】搬送装置４０は、モータ４２と、モータ４２によりほぼ水平方向を向く回転軸４２ａ回りに回転可能で、かつ回転軸４２ａの軸線方向に沿って並設される複数のカム板４３と、下部が各カム板４３の外周面にそれぞれ摺接して各カム板４３の回転に応じて互い違いに昇降動作するとともに、上部に遊技球を載置可能な搬送部４４１〜４８１を有する複数のリフト部材４４〜４８とを備える。複数のリフト部材４４〜４８のうち先頭のリフト部材の搬送部４４１に、特別遊技領域に入球した遊技球が受け入れられると、その遊技球を、各リフト部材４４〜４８の昇降動作に伴って、隣接するリフト部材４４〜４８に順次譲り渡して、回転軸４２ａの軸線方向に沿って移動させつつ段階的に上方へ搬送する。  【選択図】      図５
2008272126.tif 000002
【特許請求の範囲】
【請求項１】
遊技球が打ち込まれる遊技領域に、遊技球が入球可能な特別遊技領域を設けるとともに、前記特別遊技領域に入球した遊技球を上方へ搬送可能な搬送装置を備えた弾球遊技機において、
前記搬送装置は、モータと、前記モータによりほぼ水平方向を向く回転軸回りに回転可能で、かつ前記回転軸の軸線方向に沿って並設される複数のカム板と、下部が各カム板の外周面にそれぞれ摺接して各カム板の回転に応じて互い違いに昇降動作するとともに、上部に遊技球を載置可能な搬送部を有する複数のリフト部材とを備え、
複数の前記リフト部材のうち先頭のリフト部材の搬送部に、前記特別遊技領域に入球した遊技球が受け入れられると、その遊技球を、前記各リフト部材の昇降動作に伴って、隣接するリフト部材に順次譲り渡して、前記回転軸の軸線方向に沿って移動させつつ段階的に上方へ搬送するようにしたことを特徴とする弾球遊技機。
【請求項２】
前記搬送装置に、前記リフト部材により上方へ搬送された遊技球を、前記特別遊技領域の上部に向けて発射可能な発射装置を設けたことをことを特徴とする請求項１記載の弾球遊技機。
【請求項３】
前記特別遊技領域の前面に、左右方向へ移動可能に支持され、かつ前記発射装置から発射された遊技球を捕球することによって、遊技者に対して有利な特別遊技の権利を発生可能とする特別入賞口へ向けて搬送可能な搬送手段を設けたことを特徴とする請求項２記載の弾球遊技機。
【発明の詳細な説明】
【技術分野】
【０００１】
本発明は、遊技球を遊技領域に打込んで遊技を行う弾球遊技機に関する。
【背景技術】
【０００２】
弾球遊技機において、遊技領域内に設けたセンタ役物（特別入賞装置）内に、遊技球を上方へ向けて搬送可能な搬送装置を備えたものがある（例えば、特許文献１参照）。この搬送装置は、遊技球の搬送方向へ向けて高さが段階的に高くなるようにした複数の搬送板を有している。そして、モータの回転をリンク等を介して各搬送板に伝達することによって、各搬送板を昇降動作させ、搬送板の上端面に遊技球を受け入れると、その遊技球を、各搬送板の昇降動作に伴って隣接する次の搬送板に順次譲り渡して段階的に後方へ移動させつつ上方へ搬送するようにしている。
【特許文献１】特開平１−２３２９８４号公報
【発明の開示】
【発明が解決しようとする課題】
【０００３】
しかし、上述の弾球遊技機においては、各搬送板を上下動させるために、ギア、カム、リンク等を多くの部品を必要とするため、特別入賞装置の限られた取付けスペースに組み込むには、構成が複雑で大型過ぎる問題を有している。
【０００４】
本発明は、上述の課題に鑑みてなされたもので、簡単な構成で、特別入賞装置内に入球した遊技球を段階的に上昇移動させることができるようにした弾球遊技機を提供することを目的とする。
【課題を解決するための手段】
【０００５】
本発明によると、上記課題は、次のようにして解決される。
（１）遊技球が打ち込まれる遊技領域に、遊技球が入球可能な特別遊技領域を設けるとともに、前記特別遊技領域に入球した遊技球を上方へ搬送可能な搬送装置を備えた弾球遊技機において、前記搬送装置は、モータと、前記モータによりほぼ水平方向を向く回転軸回りに回転可能で、かつ前記回転軸の軸線方向に沿って並設される複数のカム板と、下部が各カム板の外周面にそれぞれ摺接して各カム板の回転に応じて互い違いに昇降動作するとともに、上部に遊技球を載置可能な搬送部を有する複数のリフト部材とを備え、複数の前記リフト部材のうち先頭のリフト部材の搬送部に、前記特別遊技領域に入球した遊技球が受け入れられると、その遊技球を、前記各リフト部材の昇降動作に伴って、隣接するリフト部材に順次譲り渡して、前記回転軸の軸線方向に沿って移動させつつ段階的に上方へ搬送する。
【０００６】
（２）上記(１)項において、前記搬送装置に、前記リフト部材により上方へ搬送された遊技球を、前記特別遊技領域の上部に向けて発射可能な発射装置を設ける。
【０００７】
（３）上記(２)項において、前記特別遊技領域の前面に、左右方向へ移動可能に支持され、かつ前記発射装置から発射された遊技球を捕球することによって、遊技者に対して有利な特別遊技の権利を発生可能とする特別入賞口へ向けて搬送可能な搬送手段を設ける。
【発明の効果】
【０００８】
本発明によると、次のような効果を奏することができる。
請求項１記載の発明によると、モータにより回転可能な複数のカム板により、複数のリフト部材を直接昇降動作させるため、構造を簡単にして、各リフト部材を円滑に昇降させることができ、確実な動作を得ることができる。
【０００９】
請求項２記載の発明によると、搬送装置に設けた発射装置から遊技球が特別遊技領域の上部に向けて発射されるため、遊技球の多彩な動きが可能となり、遊技の興趣を高めることができる。
【００１０】
請求項３記載の発明によると、遊技球が捕球手段に捕球されることによって、遊技者に対して有利な特別遊技の権利を発生させることができる。
【発明を実施するための最良の形態】
【００１１】
以下、本発明に係る一実施形態を図面に基づいて説明する。図１は、本発明を適用した弾球遊技機の正面図である。なお、以下の説明においては、図１において図面手前を「前方又は表面」とし、図面奧を「後方又は裏面」とし、左方を「左方」とし、右方を「右方」とする。
【００１２】
図１に示すように、弾球遊技機をなすパチンコ機１は、遊技施設に据付けられる外枠２と、外枠２内に固定され、表面に外側ガイドレール３と内側ガイドレール４とによって包囲された円形状の遊技領域５を形成した遊技盤６と、遊技盤６の表面側にあって、外枠２に開閉可能に支持されたガラス枠扉７とを備えている。
【００１３】
ガラス枠扉７の下方に設けられた球供給皿８に貯留されている遊技球は、ガラス枠扉７の右下に設けられた操作ハンドル９を回動操作することによって、発射装置（図示略）から発射されて、外側ガイドレール３及び内側ガイドレール４により誘導されて遊技領域５内に打込まれ、遊技領域５に植設された多数の遊技釘に当接しながら流下する。なお、遊技釘は図面簡素化のため省略してある。
【００１４】
遊技領域５のほぼ中央部には、遊技領域５に打込まれた遊技球を内部に受入可能な特別入賞装置２０が配置されている。なお、特別入賞装置２０の内部は、遊技領域５の一部をなす特別遊技領域２１として形成される。特別入賞装置２０の下方には、遊技球が入球可能な第１始動口１０及び左右の第２始動口１１がそれぞれ配置されている。さらに、遊技領域５の最下部には、遊技領域５に打込まれた遊技球を遊技盤６の裏面側に排出するアウト口１２が設けられている。
【００１５】
特別入賞装置２０は、その左側面に設けられた後述の開口３０を開閉可能な羽根部材２２を備え、第１始動口１０又は第２始動口１１に遊技球が入球したことを契機に羽根部材２２が所定回数開閉動作を行う。羽根部材２２が開閉動作しているときは、特別入賞装置２０の開口３０が一旦解放されるため、遊技領域５に打込まれた遊技球は特別遊技領域２１に入球する確率が高くなる。
【００１６】
図２は、特別入賞装置２０の正面図、図３は、図２におけるIII−III線縦断面図、図４は、特別入賞装置２０の一部を切り欠いてその内部を示す斜視図である。
【００１７】
特別入賞装置２０は、遊技盤６における遊技領域５の中央に固定され、内部に特別遊技領域２１を形成する箱形のハウジング２３を備える。ハウジング２３の左側面には、羽根部材２２により開閉可能な開口３０が設けられている。特別遊技領域２１内における開口３０の直下には、開口３０に入球した遊技球Ａの通過を検出する入賞センサ２４が配置されている。入賞センサ２４の下方には、右側に向けて下り勾配の誘導路２５及び跳ね上げ式の橋２６が設けられている。誘導路２５の右端部は、前後方向へ貫通した導入口２７を通して、ハウジング２３の右側部に配置された搬送装置４０の前部に通じている。
【００１８】
羽根部材２２が開閉動作しているとき、開口３０に入球した遊技球Ａは、入賞センサ２４、誘導路２５、橋２６、導入口２７を通って搬送装置４０に送られ、後述のように後方へ移動されつつ搬送装置４０の最上部まで搬送され、頂上部に設けられた発射装置５０により、ハウジング２３の上部に設けられたガイド用通路２８を通って特別遊技領域２１の最上位置に配置された椀形の受入容器２９内に向けて発射される。受入容器２９内に誘導された遊技球Ａは、受入容器２９の底部に設けた落し孔２９１から受入容器２９の下方に設けられた前方へ下り勾配の第１落下ガイド部３１に落下した後、第１ガイド部３１の前端から転がり落ちる。
【００１９】
第１落下ガイド部３１の前端下方には、第１垂直面３２が設けられ、第１垂直面３２の下端には、前方へ下り勾配の第２落下ガイド部３３が設けられ、第２落下ガイド部３３の前端には、第２垂直面３４が設けられている。
【００２０】
第１落下ガイド部３１から落下した遊技球Ａは、モータ等の駆動源（図示略）により左右方向へ常時往復移動している後述の特別権利獲得捕球手段６０及び再抽選捕球手段６１により捕球される可能性があり、これらに捕球されない場合には、第２落下ガイド部３３に落下した後、その前端から転がり落ちて、第２落下ガイド部３３の下方に設けられた排出口（図示略）から遊技盤６の裏面側に排出される。
【００２１】
第１垂直面３２の前面には、第１落下ガイド部３１から落下した遊技球Ａを捕球可能な特別権利獲得捕球手段６０が平行リンク６０１により左右方向へ往復移動可能に支持されている。また、第２垂直面３４の前面には、第１落下ガイド部３１から落下した遊技球Ａのうち、特別権利獲得捕球手段６０により捕球されなかった遊技球Ａを捕球可能な再抽選捕球手段６１が平行リンク６１１により左右方向へ往復移動可能に支持されている。なお、特別権利獲得捕球手段６０と再抽選捕球手段６１は、左右方向へ互い違いに往復移動する。
【００２２】
特別権利獲得捕球手段６０は、第１落下ガイド部３１から落下した遊技球Ａを捕球可能な補球姿勢を維持しつつ第１垂直面３２の前面に沿って左右方向に往復移動し、また、遊技球Ａを捕球した場合には、遊技球Ａを左右方向へ搬送して特別遊技領域２１内における右端折返し位置の近傍に設けられた特別入賞口３６へ向けて排出する動作を行なう。なお、特別入賞口３６内には、遊技球Ａの通過を検出することにより、後述の特別遊技の権利を発生可能とするセンサが内蔵されている。
【００２３】
再抽選捕球手段６１は、第２ガイド部３３から落下した遊技球Ａを捕球可能な補球姿勢を維持しつつ第２垂直面３４の前面に沿って左右方向へ往復移動し、遊技球Ａを捕球した場合には、遊技球Ａを左右方向へ搬送して特別遊技領域２１の右端折り返し位置近傍に設けられた再抽選用誘導路（図示略）に向けて排出する動作を行なう。再抽選用誘導路へ向けて排出された遊技球Ａは、導入口２７の左側方に隣接して開口された再チャレンジ用排出口３５（図２参照）から誘導路２５に戻され、再び導入口２７を通って、搬送装置４０に搬送されて受入容器２９内に誘導される。
【００２４】
特別権利獲得捕球手段６０に捕球された遊技球Ａが特別入賞口３６を通過して特別遊技の権利が発生すると、橋２６は、開口３０から入球した遊技球Ａが搬送装置４０へ誘導されないように、図２に実線で示す倒伏位置から想像線で示す跳ね上げ位置に回動して誘導路２５の一部を切断する。橋２６が跳ね上げ位置に回動した場合、遊技球Ａは、橋２６の下方に設けられた後方へ下り勾配のガイド部３７を通って遊技盤６の裏側へ排出される。そして、特別遊技の権利が終了した時点で、橋２６は倒伏位置に復帰する。なお、橋２６は、誘導路２５の下方に設けられたソレノイド２６ａによって回動動作を行なう。
【００２５】
図５は、特別入賞装置２０の側面図、図６は、図５におけるVI−VI線縦断面図、図７は、図５におけるVII−VII線に沿う拡大横断面図、図８、９は、搬送装置４０の動作説明図である。
【００２６】
搬送装置４０は、ハウジング２３の右側面下後部に固定されるモータ４２と、モータ４２により回転する前後方向を向く回転軸４２ａと共に回転するように、前後方向、すなわち回転軸４２ａの軸線方向に沿って並設される複数（本実施形態においては５個）のカム板４３と、ハウジング２３の左側面に設けられたガイド板４９により上下方向へ移動可能に支持され、各カム板４３の外周面に下端部を摺接した各カム板４３に対応する複数（本実施形態においては５個）のリフト部材４４〜４８とを有する。なお、カム板４３及びリフト部材の数は、適宜変更可能である。
【００２７】
各リフト部材４４〜４８は、その最前列から後方へ向けて高さが順次段階的に増加するように形成される。なお、最前列のリフト部材４４の上部に設けた搬送部４４１は、一個の遊技球Ａのみを受入れるべく、その奥行寸法を他のリフト部材４５〜４８の搬送部４５１〜４８１の奥行寸法よりも縮小している。なお、各リフト部材４４〜４８の各搬送部４４１〜４８１は、載置した遊技球Ａが後方へ向けて転動するように、後方へ下り勾配としてある。また、各リフト部材４４〜４８の下端は、各カム板４３の外周面に円滑に摺接すべく尖形状をなしている。
【００２８】
ガイド板４９には、各リフト部材４４〜４８に位置に対応して、上下方向のあり溝状の複数のガイド溝４９１が並設されている。各リフト部材４４〜４８は、それらの一側部に設けられた突部４４２〜４８２（なお、突部４７２、４８２は、図面の都合上、省略してある）が対応するガイド溝４９１に上下方向へ摺動可能に係合することにより、ハウジング２３の側部に上下方向へ摺動可能に支持される。
【００２９】
各カム板４３は、その偏心量が最大と最小が交互になるように、回転軸４２ａの軸線方向に沿って配列されている。したがって、各カム板４３がモータ４２により図５における矢印Ｂ方向へ回動すると、各リフト部材４４〜４８は、互い違いに上昇、下降移動を繰り返す。
【００３０】
導入路２７を通って搬送装置４０の前部に導かれた遊技球Ａは、図８に示すように、最前列のリフト部材４４が最下降位置に移動すると、その搬送部４４１に向けて転動して載置される。なお、そのとき、最前列のリフト部材４４に隣接する次のリフト部材４５は最上昇位置に移動しているので、リフト部材４４の搬送部４４１に載置された遊技球Ａは、リフト部材４５の垂直面に当接して、搬送部４４１から後方へ転動することはない。
【００３１】
そして、図９に示すように、カム板４３が１８０度回転して、遊技球Ａを載置したリフト部材４４が最上昇位置に達すると、次のリフト部材４５が最下降位置に達して、リフト部材４４とリフト部材４５の搬送部４４１、４５１が互いに一致することにより、遊技球Ａは搬送部４４１の傾斜に沿ってリフト部材４５の搬送部４５１に譲り渡される。このとき、リフト部材４５に隣接する次のリフト部材４６は最上昇位置に移動しているため、リフト部材４５の搬送部４５１に譲り渡された遊技球Ａは、リフト部材４６の垂直面に当接してそれ以上後方へ転動することはない。この状態から、さらに、図８に示すように、リフト部材４５が最上昇位置に移動すると、リフト部材４５に隣接する次のリフト部材４６が最下降位置に移動して、今度は、リフト部材４５に載置されている遊技球Ａはリフト部材４６の搬送部４６１に譲り渡される。そして、最終的に、最後列のリフト部材４８の搬送部４８１に譲り渡された遊技球Ａは、リフト部材４８が最上昇位置に達した時点で、搬送部４８１から転動して発射装置５０の側部に設けられた待機位置５０１に誘導される。待機位置５０１に誘導された遊技球Ａは、発射装置５０により受入容器２９に向けて発射される。
【００３２】
なお、発射装置５０は、主に図４に示すように、待機位置５０１に対向配置された発射レバー５２と、発射レバー５２の先端に設けたハンマー５３及び発射レバー５２に連係されたソレノイド（図示略）を備える。
【００３３】
次に、本実施形態において遊技球Ａが特別遊技領域２１内に入球した場合の各装置の作用について説明する。
遊技球Ａが第１始動口１０又は第２始動口１１に入球したことに基づいて、羽根部材２２が開閉動作しているとき、遊技球Ａが開口３０から特別遊技領域２１内に入球すると、その遊技球Ａは、入賞センサ２４、誘導路２５、橋２６、導入口２７を通って、搬送装置４０の前部に誘導される。
【００３４】
搬送装置４０は、最前列のリフト部材４４の搬送部４４１に遊技球Ａを載置することにより、各リフト部材４４〜４８が各カム板４３の回転に伴って隣接するリフト部材同士が互い違いに上下動することにより、前述のように、遊技球Ａを後方へ移動させつつ段階的に上方へ搬送する。そして、最後列のリフト部材４８により、遊技球Ａが待機位置５０１に誘導されると、その遊技球Ａは、発射装置５０により発射されてガイド用通路２８を通って受入容器２９内に誘導され、受入容器２９の底部に設けた落し孔２９１から第１落下ガイド部３１上に落下して、第１落下ガイド部３１の前端から転がり落ちる。
【００３５】
第１落下ガイド部３１から転がり落ちた遊技球Ａは、左右方向へ常時往復移動している特別権利獲得捕球手段５０によって捕球されない場合には、第２落下ガイド部３３上に落下して、第２落下ガイド部３３の前端から転がり落ちる。
【００３６】
特別権利獲得捕球手段５０により遊技球Ａが捕球された場合には、遊技球Ａを左右方向へ搬送する。そして、特別権利獲得捕球手段５０が右端折り返し位置又はその近傍に達すると、遊技球Ａを特別入賞口３６へ向けて排出する。
【００３７】
特別権利獲得捕球手段５０から排出された遊技球Ａは、特別入賞口３６を通過して遊技盤６の裏面に排出される。特別入賞口３６が遊技球Ａの通過を検出すると、それを契機に、特別権利発生信号を遊技盤６の裏面に設けられた制御回路部（図示略）に送信する。そして、制御回路部は、特別権利発生権利信号を入力することによって、遊技を遊技者にとって有利な特別遊技の権利を発生させ、遊技状態を特別遊技状態に移行させる。
【００３８】
特別遊技状態となった場合には、例えば羽根部材２２が所定回数開閉動作を繰返すか、あるいは遊技球Ａが特定遊技領域２１内に所定数（例えば１０個）入球するまで繰返される動作が、複数ラウンドに亘って繰返され、遊技者に対して短時間に大量の賞球、すなわち遊技価値を付与することとなる。
【００３９】
第１落下ガイド部３１から落下した遊技球Ａのうち、特別権利獲得捕球手段５０に捕球されなかった遊技球Ａは、第２落下ガイド部３３上に落下して、その前端から転がり落ち、今度は、再抽選捕球手段５１により捕球される可能性がある。遊技球Ａが捕球されない場合には、その遊技球Ａは遊技盤３の裏面側に排出される。
【００４０】
再抽選捕球手段５１により遊技球Ａが捕球された場合には、再抽選捕球手段５１が遊技球Ａを左右方向へ搬送しつつ右端折り返し位置又はその近傍に達すると、捕球した遊技球Ａを、再チャンレンジ用排出口３５へ向けて排出して、再び搬送装置４０の前部に誘導して、再び受入容器４１内に誘導されることとなり、再度、特別権利獲得捕球手段５０に捕球されるチャンスが得られる。
【図面の簡単な説明】
【００４１】
【図１】本発明に係る弾球遊技機の正面図である。
【図２】特別入賞装置の正面図である。
【図３】図２におけるIII−III線縦断面図である。
【図４】特別入賞装置の一部を切り欠いてその内部を示す斜視図である。
【図５】特別入賞装置の側面図である。
【図６】図５におけるVI−VI線縦断面図である。
【図７】図５におけるVII−VII線に沿う拡大横断面図である。
【図８】搬送装置の動作説明図である。
【図９】搬送装置の動作説明図である。
【符号の説明】
【００４２】
１  弾球遊技機（パチンコ機）
２  外枠
３  外側ガイドレール
４  内側ガイドレール
５  遊技領域
６  遊技盤
７  ガラス扉枠
８  球供給皿
９  操作ハンドル
１０  第１始動口
１１  第２始動口
１２  アウト口
２０  特別入賞装置
２１  特別遊技領域
２２  羽根部材
２３  ハウジング
２４  入賞センサ
２５  誘導路
２６  橋
２６ａ  ソレノイド
２７  導入口
２８  ガイド用通路
２９  受入容器
３０  開口
３１  第１落下ガイド部
３２  第１垂直面
３３  第２落下ガイド部
３４  第２垂直面
３５  再チャレンジ用排出口
３６  特別入賞口
３７  ガイド部
４０  搬送装置
４２  モータ
４２ａ  回転軸
４３  カム板
４４〜４８  リフト部材
４９  ガイド板
５０  発射装置
５２  発射レバー
５３  ハンマー
６０  特別権利獲得捕球手段
６１  再抽選捕球手段
２９１  落し孔
４４１〜４８１  搬送部
４４２〜４８２  突部
４９１  ガイド溝
５０１  待機位置
６０１  平行リンク
６１１  平行リンク
Ａ  遊技球
【図１】
2008272126.tif 000003
【図２】
2008272126.tif 000004
【図３】
2008272126.tif 000005
【図４】
2008272126.tif 000006
【図５】
2008272126.tif 000007
【図６】
2008272126.tif 000008
【図７】
2008272126.tif 000009
【図８】
2008272126.tif 000010
【図９】
2008272126.tif 000011